(57)【特許請求の範囲】
【請求項１】
少なくとも３つの導線を含む電力線を介して電力線通信を行う通信装置と通信を行うと共に、車両へ充電を行う車両充電装置であって、
前記電力線のうちの一対の導線を順次切り替える切り替え部と、
前記切り替え部によって切り替えられた前記一対の導線を介して、前記通信装置から送信された信号を受信する通信部と、を備え、
前記切り替え部は、前記通信部が受信した信号に基づいて、前記電力線の中から前記一対の導線を選択する車両充電装置。
【請求項２】
前記車両への充電に用いる車両用電力線と、
前記電力線と車両用電力線を接続または切断する電力線接続部と、
前記通信部が受信した前記信号に基づいて、前記電力線接続部の接続または切断を制御する制御部と、をさらに備える、
請求項１に記載の車両充電装置。
【請求項３】
前記通信部は、前記車両との通信を行う、
請求項１または２に記載の車両充電装置。
【請求項４】
前記電力線のうち、互いに異なる一対の導線にそれぞれコンデンサを介して接続された複数の第１の結合器と、
前記通信部に接続されると共に前記車両用電力線にコンデンサを介して接続された第２の結合器と、をさらに備え、
前記切り替え部は、前記複数の第１の結合器のいずれか一つを選択して接続される、
請求項２に記載の車両充電装置。
【請求項５】
前記通信部で受信された信号を解読する信号処理部、をさらに備える、
請求項１〜４のいずれかに記載の車両充電装置。
【請求項６】
前記切り替え部は、前記通信部が受信した信号の強度に基づいて前記一対の導線を選択する、
請求項１〜５のいずれかに記載の車両充電装置。
【請求項７】
前記切り替え部は、前記通信部が受信した信号の誤り率に基づいて前記一対の導線を選択する、
請求項１〜５のいずれかに記載の車両充電装置。
【請求項８】
前記切り替え部は、前記通信部が受信した信号の通信速度に基づいて前記一対の導線を選択する、
請求項１〜５のいずれかに記載の車両充電装置。
【請求項９】
前記制御部は、
前記通信部が前記通信装置から充電許可の信号を受信した場合は、前記電力線接続部を接続状態に制御し、
前記通信部が前記通信装置から充電不許可の信号を受信した場合は、前記電力線接続部を切断状態に制御する、
請求項２に記載の車両充電装置。
【請求項１０】
前記切り替え部によって選択された一対の導線と前記通信装置に対応するアドレス情報の対応を記憶する記憶部、をさらに備え、
前記通信部は、前記通信装置から送信された信号から前記アドレス情報を読み取り、
前記切り替え部は、前記通信部が読み取った前記アドレス情報に基づいて、前記一対の導線を切り替える、
請求項１に記載の車両充電装置。
【請求項１１】
前記通信部は、前記通信装置に対して通信確立のための問い合わせ信号を送信し、前記問い合わせ信号に対する応答として、前記通信装置から送信された信号を受信する、
請求項１〜１０いずれかに記載の車両充電装置。
【請求項１２】
少なくとも３つの導線を含む電力線を介して電力線通信を行う通信装置と通信を行うと共に、車両へ充電を行う車両充電方法であって、
前記電力線のうちの一対の導線を順次切り替え、
前記切り替えられた一対の導線を介して、前記通信装置から送信された信号を受信し、
前記受信した信号に基づいて、前記電力線の中から前記一対の導線を選択する、
車両充電方法。
【請求項１３】
前記通信装置に対して通信確立のための問い合わせ信号を送信し、前記問い合わせ信号に対する応答として、前記通信装置から送信された信号を受信する、
請求項１２に記載の車両充電方法。
【請求項１４】
請求項１〜１１のいずれかに記載の車両充電装置と、
少なくとも３つの導線を含む電力線に接続された通信装置と、を備え、
前記車両充電装置は、前記通信装置から送信された信号に基づいて車両へ充電を行う、
車両充電システム。
【発明の詳細な説明】
【技術分野】
【０００１】
本発明は、蓄電装置と車輪を回転させるモータとを搭載し、蓄電装置の電力を用いてモータを駆動する車両に電力を供給する車両充電装置およびこれを用いた車両充電システムに関する。
【背景技術】
【０００２】
近年、環境にやさしい車両として、蓄電装置と車輪を回転させるモータとを搭載し、蓄電装置の電力を用いてモータを駆動する電気自動車が注目されつつある。このような車両では、車両本体外の車両充電装置から電力線を介して電力が供給され、供給された電力を蓄電装置に蓄電していた（例えば、特許文献１参照）。
【先行技術文献】
【特許文献】
【０００３】
【特許文献１】特開２００９−１７１７００号公報
【発明の概要】
【発明が解決しようとする課題】
【０００４】
ところで、一般の住宅では車両充電装置は住宅内に設置され、住宅内の電源の電力を利用して車両に電力を供給する。住宅内の電源は互いに高周波的に分離された多線式電力線が用いられている。このため、車両充電装置は多線式電力線のうち、いずれか一対の電力線に接続されていた。【０００５】
しかしながら、多線式電力線を用いて電力線通信を行う場合、各相の電力線の間は高周波的に分離されているため、異なる一対の電力線の間では異相間結合損失が１０〜３０ｄＢ程あり、安定した電力線通信を行うことはできなかった。例えば、Ｌ１相、ニュートラル相およびＬ２相の三相電力線（単相三線）で、Ｌ１相とニュートラル相の一対の電力線に充電指示装置が接続され、Ｌ１相とＬ２相の一対の電力線に車両用電力線が接続された場合、充電指示装置は車両充電装置と安定した通信が行えず、車両充電装置の制御ができないので、車両充電装置から車両に電力を供給できないという課題があった。【０００６】
そこで本発明は、車両充電装置と充電指示装置とが多線式電力線の異なる相の電力線対に接続された場合であっても安定した通信が行え、車両充電装置から車両に電力を供給できるようにすることを目的とする。
【課題を解決するための手段】
【０００７】
本発明の第１の態様に係る車両充電装置は、多線式電力線に接続されている充電指示装置の指示に基づいて、多線式電力線の内の一対の電力線から供給される電力を車両用電力線を介して車両に供給するものであって、多線式電力線または車両用電力線を介して電力線通信する電力線通信部と、多線式電力線の内の一対の電力線と車両用電力線とを接続する接続部と、充電指示装置の指示に応じて接続部の接続または切り離しを制御する制御部とを備え、電力線通信部は、多線式電力線の内の一対の電力線からの信号を選択して充電指示装置と通信すると共に車両用電力線を介して車両と通信する構成を採る。【０００８】
この構成によれば、車両充電装置は異なる電力線対の信号を選択して通信を行うことができる。これにより、車両充電装置は、車両充電装置と充電指示装置とが多線式電力線の異なる相の電力線対に接続された場合であっても多線式電力線の内の一対の電力線からの信号を選択できるので安定した通信が行え、これにより充電指示装置は車両充電装置を制御でき、車両充電装置から電力を車両用電力線を介して車両に供給することができる。【０００９】
また、本発明の第２の態様に係る車両充電システムは、多線式電力線に接続された上記した車両充電装置と、多線式電力線に接続された充電指示装置とを備え、車両充電装置は、充電指示装置の指示に基づいて車両に電力を供給する構成を採る。【００１０】
この構成によれば、車両充電装置と充電指示装置とが多線式電力線の異なる相の電力線対に接続された場合であっても多線式電力線の内の一対の電力線からの信号を選択できるので安定した通信が行え、これにより充電指示装置は車両充電装置を制御でき、車両充電装置から車両用電力線を介して車両に電力を供給することができる。【００１１】
本発明の第３の態様に係る車両充電装置は、少なくとも３つの導線を含む電力線を介して電力線通信を行う通信装置と通信を行うと共に、車両へ充電を行う車両充電装置であって、前記電力線のうちの一対の導線を介して、前記通信装置から送信された信号を受信する通信部と、前記通信部が受信した信号に基づいて、前記一対の導線を切り替える切り替え部と、を備える構成を採る。【００１２】
この構成によれば、通信部が受信した信号に基づいて、一対の導線を切り替えるので、通信装置が接続される電力線の相と車両へ充電を行う電力線の相が異なる場合であっても、当該通信装置と安定した通信を行うことが可能である。
【発明の効果】
【００１３】
本発明によれば、車両充電装置と充電指示装置とが多線式電力線の異なる相の電力線対に接続された場合であっても安定した通信が行え、車両充電装置から車両に電力を供給できる。  
【図面の簡単な説明】
【００１４】
【図１】実施の形態における車両充電システムの構成図
【図２】同車両充電システムの車両充電装置の構成を示すブロック図
【図３】同車両充電システムの車両充電装置の電力線通信部の構成を示すブロック図
【図４】同車両充電システムの動作を説明するフローチャート
【図５】図３に示した電力線通信部の他の構成を示すブロック図
【発明を実施するための形態】
【００１５】
以下、本発明の一実施の形態について、図面を参照しながら説明する。なお、各図において同一または相当の部分には同一の符号を付して説明する。
【００１６】
（実施の形態）
まず、図１〜図３を参照しながら、本発明の実施の形態における車両充電システムについて説明する。ここでは、車両として、蓄電装置と車輪を回転させるモータとを搭載し、蓄電装置に蓄電した電力を用いてモータを駆動する電気自動車の場合を例として説明する。電気自動車では、蓄電装置に蓄電された電力をモータに供給し、モータにより車輪を回転させ、他の場所に移動することができる。
【００１７】
図１は、本発明の実施の形態における車両充電システム１の構成図である。図１において、車両充電システム１は、電力線通信部４を内蔵している充電指示装置５と、車両充電装置６と、車両充電装置６と車両用電力線７を介して接続された車両８とを備えている。
【００１８】
充電指示装置５は、例えば、パーソナルコンピュータやサーバのような通信装置である。
【００１９】
一般の住宅２では、充電指示装置５および車両充電装置６は、住宅２の電源３に接続される。これにより、車両充電装置６に必要となる電力が住宅２の電源３から供給されている。車両充電装置６は、住宅２の電源３の電力を用いて車両８に電力を供給する。
【００２０】
車両充電システム１では、車両用電力線７を車両８の給電口９に装着後、充電指示装置５により車両８の認証を行い、認証できた場合にのみ、車両８に電力を供給する。車両８は、車両本体８ａに搭載されている蓄電装置１０に供給された電力を充電する。
【００２１】
充電指示装置５は、専用機で構成される。なお、専用機に代えてパーソナルコンピュータを用いてもよい。充電指示装置５は内蔵の電力線通信部４を介して電源３の電力線を用い車両充電装置６と電力線通信を行う。
【００２２】
ところで、住宅２では電源３として多線式電力線、例えば、単相３線式が用いられている。このため、車両充電装置６は単相３線式の電力線のうち、一対の電力線を用いて車両８に電力を供給することとなる。
【００２３】
しかしながら、単相３線式の電力線を用いて電力線通信を行う場合、各相の電力線の間は高周波的に分離されているため、異なる一対の電力線の間で異相間結合損失が１０〜３０ｄＢ程あり、安定した電力線通信を行うことはできなかった。すなわち、実質的に電力線通信を行うことはできなかった。例えば、Ｌ１相、ニュートラル相およびＬ２相の三相の電力線の内、Ｌ１相とニュートラル相の一対の電力線に充電指示装置５が接続され、Ｌ１相とＬ２相の一対の電力線に車両用電力線７が接続された場合、充電指示装置５は車両充電装置６との間で安定した通信が行えない。このため、充電指示装置５は車両充電装置６の制御ができないので、車両充電装置６から車両８に電力を供給できなかった。また、充電指示装置５は車両充電装置６を介して車両８と安定した通信が行えず、認証が困難であった。
【００２４】
そこで、本実施の形態では、車両充電装置６と充電指示装置５とが多線式電力線の異なる相の電力線対に接続された場合であっても安定して通信が行え、充電指示装置５から車両充電装置６を制御すると共に、充電指示装置５と車両８との間で電力線通信により認証を行い、車両充電装置６から車両８に電力を供給できるようにした。
【００２５】
すなわち、図２に示すように車両充電装置６を構成した。図２は本発明の実施の形態における車両充電装置６の構成を示すブロック図である。
【００２６】
図２に示すように、車両充電装置６は、多線式電力線（図２では、単相三線式の電力線３ａ、電力線３ｂ、電力線３ｃ）に接続されている充電指示装置５（図１）の指示に基づいて、多線式電力線の内の一対の電力線から供給される電力を車両用電力線７を介して車両８（図１）に供給する。
【００２７】
車両充電装置６は、多線式電力線または車両用電力線７を介して電力線通信を行う電力線通信部６１と、多線式電力線の内の一対の電力線と車両用電力線７とを接続する電力線接続部６３と、充電指示装置５の指示に応じて電力線接続部６３の接続または切り離しを制御する制御部６２とを備え、電力線通信部６１は、多線式電力線の内、一対の電力線からの信号を選択して充電指示装置５と通信すると共に車両用電力線７を介して車両８と電力線通信を行う。
【００２８】
電力線通信部６１は、充電指示装置５から受信した通信情報を車両用電力線７を介して車両８に転送すると共に、車両８から受信した通信情報を多線式電力線を介して充電指示装置５に転送を行う。この転送により、充電指示装置５は、電力線接続部６３が切り離されている場合でも、車両充電装置６を介して車両８と安定して通信が行え、車両８の認証を行うことができる。
【００２９】
このように、車両充電装置６は相の異なる電力線対の信号を選択して通信することができるので、充電指示装置５と相の異なる電力線対に接続されていても、減衰の少ない電力線対に切替えて通信でき、安定して通信を行うことができる。また、充電指示装置５は車両充電装置６を介して車両８と電力線通信を行うことができる。
【００３０】
充電指示装置５は車両充電装置６を制御すると共に、車両充電装置６を介して車両８との通信により認証を行うことができる。これにより、車両充電装置６は充電指示装置５の指示に基づいて、電力を車両用電力線７を介して車両８に供給することができる。
【００３１】
電力線接続部６３は、図２ではスイッチ６３ａで構成され、スイッチ６３ａの閉状態または開状態により、Ｌ１相の電力線３ａとＬ２相の電力線３ｃの対の電力線と車両用電力線７とを接続または切り離しを行う。スイッチ６３ａが閉状態の場合、車両８に２００Ｖの電圧で電力が供給される。なお、Ｌ１相とＬ２相の電力線対に限定されるものでなく、Ｌ１相とニュートラル相との電力線対、またはニュートラル相とＬ２相との電力線対と車両用電力線７とを接続してもよい。この場合、１００Ｖの電圧を車両８に供給することとなる。
【００３２】
制御部６２は、電力線通信部６１と接続され、充電指示装置５からの指示を電力線通信部６１を介して受信すると共に、充電指示装置５から受信した指示が充電許可の場合には電力線接続部６３のスイッチ６３ａを閉状態（ＯＮ状態）に制御し、充電指示装置５から受信した指示が充電不許可の場合には電力線接続部６３のスイッチ６３ａを開状態（ＯＦＦ状態）に制御する。
【００３３】
充電指示装置５は、車両充電装置６の制御部６２に対して、認証できた車両８に対してのみ充電許可の指示を行い、認証されない不正規な車両８に対しては充電不許可の指示を送る。これにより、車両充電システム１では不正規な車両８に対して盗電を防止することができる。
【００３４】
なお、多線式電力線と車両用電力線７は、同じ種類の電力線を用いても良いし、異なる種類の電力線を用いても良い。
【００３５】
また、上記実施の形態では、多線式電力線の送電方式として単相三線式を例にして説明したが、多線式電力線の送電方式は、単相三線式に限られるものではない。多線式電力線の送電方式は、車両充電装置の使用地域で実施されている形式に変更しても良い。
【００３６】
次に、図３を参照しながら、車両充電装置６における電力線通信部６１の具体的な構成について説明する。図３は、本発明の実施の形態における車両充電装置６の電力線通信部６１の構成を示すブロック図である。
【００３７】
図３に示すように、電力線通信部６１は、Ｌ１相、ニュートラル相、Ｌ２相の電力線３ａ、電力線３ｂ、電力線３ｃの内、互いに異なる一対の電力線にコンデンサ１３ａ、コンデンサ１４ａ、コンデンサ１５ａをそれぞれ介して接続した第１の結合器１３ｂ、１４ｂ、１５ｂと、信号を変調または復調する変復調部１１と、第１の結合器１３ｂ、１４ｂ、１５ｂのいずれか一つを選択し、選択された第１の結合器（第１の結合器１３ｂ、第１の結合器１４ｂまたは第１の結合器１５ｂ）と変復調部１１とを接続する切替部１３ｃと、変復調部１１で復調された信号を解読する信号処理部１２と、変復調部１１に接続されると共に車両用電力線７にコンデンサ１６ａを介して接続された第２の結合器１６ｂとを備えている。
【００３８】
変復調部１１は、電力線３ａ、３ｂ、３ｃに重畳された通信信号を復調してデータに直す。また、データを電力線３ａ、３ｂ、３ｃに重畳する高周波の信号に変調する。
【００３９】
信号処理部１２は、データから自己宛の必要なデータを解読して制御部６２に送る。さらに、データ中に含まれるエラー情報や変調速度情報を制御部６２に送る。また、制御部６２から送られたデータをあて先情報やエラー訂正符号をつけて変復調部１１に送る。
【００４０】
第１の結合器１３ｂ、１４ｂ、１５ｂおよび第２の結合器１６ｂにはトランスを用いる。
【００４１】
切替部１３ｃは、制御部６２の制御信号により、第１の結合器１３ｂ、１４ｂ、１５ｂのいずれか一つを選択する。
【００４２】
具体的には、切替部１３ｃでは、第１の結合器１３ｂ、１４ｂ、１５ｂおよび変復調部１１間の結線を切り替えている。第１の結合器１３ｂを選択する場合は、第１の結合器１３ｂと変復調部１１を結線する。第１の結合器１４ｂを選択する場合は、第１の結合器１４ｂと変復調部１１を結線する。第１の結合器１５ｂを選択する場合は、第１の結合器１５ｂと変復調部１１を結線する。
【００４３】
制御部６２は、信号処理部１２から送られる情報（伝送路解析情報、変調速度情報、電力線接続部６３（図２）の制御情報など）に応じて、電力線通信部６１に充電指示装置５から受信した通信情報を車両用電力線７を介して車両８に転送すると共に、車両８から受信した通信情報を多線式電力線を介して充電指示装置５に転送する。また、制御部６２は、充電指示装置５からの指示に応じて電力線接続部６３の開閉を制御する。
【００４４】
次に、図１、図２、図３および図４を参照しながら、車両充電システム１の動作について説明する。図４は、実施の形態における車両充電システム１の動作を説明するフローチャートである。
【００４５】
まず、車両充電システム１では、車両充電装置６の車両用電力線７を車両８の給電口９に装着することにより、車両８の接続を検出する（Ｓ１００、Ｓ１０２）。
【００４６】
車両充電システム１は、車両８が接続されると車両充電装置６により、多線式電力線の内、どの電力線対に充電指示装置５が接続されているかを検出する（Ｓ１０４、Ｓ１０６）。
【００４７】
車両充電システム１は、車両充電装置６の電力線通信部６１の切替部１３ｃを制御部６２により順次に切り替えを行うと共に、充電指示装置５に通信を確立するための問い合わせ信号を送信する。そして、電力線通信部６１は、充電指示装置５から問い合わせ信号に対する応答信号を切り替えられた一対の電力線から受信し、充電指示装置５が接続されている電力線対を検出し、検出された電力線対の信号を選択する（Ｓ１０８）。
【００４８】
具体的には、電力線通信部６１は、電力線対に接続されている第１の結合器（第１の結合器１３ｂ、第１の結合器１４ｂ、第１の結合器１５ｂ）の内、信号の強度が一番大きい結合器に内部スイッチ（切替部１３ｃ）を切り替え、切り替えられた結合器の信号を選択する。
【００４９】
なお、第１の結合器１３ｂ、１４ｂ、１５ｂを選択する目安としては、信号の強度のみならず、信号の誤り率や、通信速度を用いても良い。信号の誤り率を目安として用いる場合は、信号の誤り率が最も小さな第１の結合器が選択される。通信速度を目安として用いる場合は、通信速度の最も早い第１の結合器が選択される。
【００５０】
次に、車両充電システム１は、車両充電装置６により、充電指示装置５から制御情報による指示を取得すると共に（Ｓ１１０）、制御情報が充電許可の場合には電力線接続部６３のスイッチ６３ａを閉状態に制御する（Ｓ１１２、Ｓ１１４）。また、車両充電装置６は、認証情報や充電情報などを充電指示装置５と車両８との間で相互に取得できるように転送を行う（Ｓ１１６）。車両８の充電が完了するまで、（Ｓ１１０）〜（Ｓ１１６）が繰り返し実行される。
【００５１】
一方、車両充電システム１は、制御情報が充電不許可の場合には電力線接続部６３のスイッチ６３ａを開状態に制御する（Ｓ１１２、Ｓ１１８）。
【００５２】
なお、電力線３ａ〜３ｃに充電指示装置５の他に複数の通信装置が接続されている場合、車両は、充電指示装置５のみならず、複数の通信装置と電力線通信を行うことが可能であるが、各々の通信装置から信号を受信する度に信号の強度、信号の誤り率、信号の通信速度を順次測定し、最適な第１の結合器を選択する処理を行うと通信効率が低下する。
【００５３】
そこで、記憶部（図示せず）に充電指示装置５や通信装置のアドレス情報（ＩＰアドレス、ＭＡＣアドレス等）と充電指示装置５や通信装置で選択された第１の結合器を関連させて記憶させて関連付けた情報を用いることにより、制御部６２は、変復調部１１が受信した信号のアドレス情報を解析するだけで切替部１３ｃに対し適切な第１の結合器を選択する制御信号を送信することが可能になる。したがって、第１の結合器１３ｂ〜１５ｂから受信した信号の強度、信号の誤り率、信号の通信速度を順次測定する処理を省略することができるので、通信効率が向上する。
【００５４】
以上のように本実施の形態によれば、図１および図２に示すように、車両充電装置６は、多線式電力線または車両用電力線７を介して電力線通信する電力線通信部６１と、多線式電力線の内の一対の電力線と車両用電力線７とを接続する電力線接続部６３と、充電指示装置５の指示に応じて電力線接続部６３の接続または切り離しを制御する制御部６２とを備え、電力線通信部６１は、多線式電力線の内、一対の電力線からの信号を選択して充電指示装置５と通信すると共に車両用電力線７を介して車両８と電力線通信を行う。
【００５５】
この構成により、車両充電装置６は異なる電力線対の信号を選択して通信を行うことができ、これにより車両充電装置６と充電指示装置５とが多線式電力線の異なる相の電力線対に接続された場合であっても、車両充電装置６と充電指示装置５とが安定した通信ができ、充電指示装置５の指示に従って車両充電装置６から電力を車両用電力線７を介して車両８に供給することができる。
【００５６】
また、車両充電システム１は、多線式電力線に接続された上記の車両充電装置６と、多線式電力線に接続された充電指示装置５とを備え、車両充電装置６は、充電指示装置５の指示に基づいて車両８に電力を供給する。
【００５７】
これにより、車両充電装置６と充電指示装置５とが多線式電力線の異なる相の電力線対に接続された場合であっても、車両充電装置６は異なる電力線対の信号を選択できるので安定した通信ができる。これにより、充電指示装置５の指示に従って車両充電装置６から車両用電力線７を介して車両８に電力を供給することができる。
【００５８】
なお、図２では、単相３線式について説明したが、これに限定されるものではなく他の多線式電力線にも適用できる。例えば、３相４線式の場合にも適用することができる。この場合には、図５に示すように、４線式に対応してコンデンサ１７ａ、コンデンサ１８ａ，コンデンサ１９ａと第１の結合器１７ｂ、１８ｂ、１９ｂとをさらに備え、切替部１７ｃの切り替えにより、第１の結合器１３ｂ、１４ｂ、１５ｂ、１７ｂ、１８ｂ、１９ｂのいずれか一つを選択すればよい。また、その他の三相三線式にも同様に適用することができる。
【００５９】
なお、本発明の具体的な構成は、上述した実施の形態に限られるものではなく、発明の要旨を逸脱しない範囲で種々の変更および修正が可能である。
【００６０】
また、電気自動車を例に説明したが、本発明はこれに限定されず、例えば、モータとエンジンとを併用するハイブリッド自動車にも適用することができる。
【００６１】
２０１０年１月２９日出願の特願２０１０−０１８１８３の日本出願に含まれる明細書、図面および要約書の開示内容は、すべて本願に援用される。
【産業上の利用可能性】
【００６２】
本発明の態様の一つに係る車両充電装置は、多線式電力線に接続されている充電指示装置の指示に基づいて、多線式電力線の内の一対の電力線から供給される電力を車両用電力線を介して車両に供給するものであって、多線式電力線または車両用電力線を介して電力線通信する電力線通信部と、多線式電力線の内の一対の電力線と車両用電力線とを接続する接続部と、充電指示装置の指示に応じて接続部の接続または切り離しを制御する制御部とを備え、電力線通信部は、多線式電力線の内の一対の電力線からの信号を選択して充電指示装置と通信すると共に車両用電力線を介して車両と通信を行うので、車両充電装置は異なる電力線対の信号を選択して通信を行うことができ、車両充電装置と充電指示装置とが多線式電力線の異なる相の電力線対に接続された場合であっても安定して通信できる。これにより、充電指示装置の指示に従って車両充電装置から車両用電力線を介して車両に電力を供給することができる。【００６３】
これにより、蓄電装置に電力を蓄電し、この蓄電した電力を利用して車輪を回転させて走行する電気自動車やハイブリッド自動車などの車両に充電用の電力を供給する車両充電装置およびこれを用いた車両充電システムに有用なものである。
【符号の説明】
【００６４】
１  車両充電システム
２  住宅
３  電源
３ａ，３ｂ，３ｃ，３ｄ  電力線
４，６１  電力線通信部
５  充電指示装置
６  車両充電装置
７  車両用電力線
８  車両
８ａ  車両本体
９  給電口
１０  蓄電装置
１１  変復調部
１２  信号処理部
１３ａ，１４ａ，１５ａ，１６ａ，１７ａ，１８ａ，１９ａ  コンデンサ
１３ｂ，１４ｂ，１５ｂ，１７ｂ，１８ｂ，１９ｂ  第１の結合器
１３ｃ，１７ｃ  切替部
１６ｂ  第２の結合器
６２  制御部
６３  接続部
６３ａ  スイッチ
【図１】
0005853156.tif 000002
【図２】
0005853156.tif 000003
【図３】
0005853156.tif 000004
【図４】
0005853156.tif 000005
【図５】
0005853156.tif 000006